(57)【要約】【課題】取付作業時における蛍光管の破損を防止するとともに、蛍光ランプの落下を確実に防止することのできる照明器具を提供する。【解決手段】ソケット３１を直管の蛍光管２１の軸方向へスライドさせて、蛍光管２１の口金部２２に設けられているランプピン２３と接続、あるいは離脱させるので、蛍光ランプ２０の着脱時に蛍光管２１を破損するのを防止することができる。また、口金部２２を蛍光管２１の軸方向両端よりも内側に配置する。このため、蛍光管２１の全体を露出させて、発光させることができる。【選択図】図１
2010135302.tif 000002
【特許請求の範囲】
【請求項１】
直管の蛍光管の両端部付近に設けられた口金部から軸方向に対して直交する方向へ突出して設けられた一対のランプピンを有する蛍光ランプと、
前記ランプピンを保持して電力を供給する一対のソケットを有する照明器具本体と、を備えた照明器具であって、
前記ソケットに、前記照明器具本体に対して前記蛍光管の軸方向へ移動可能なスライド部を設けるとともに、前記スライド部に前記ランプピンに接触して通電する導電部を設け、
前記スライド部を前記軸方向へスライドさせることにより前記導電部と前記ランプピンと接続・離反することを特徴とする照明器具。
【請求項２】
前記口金部および前記ソケットに互いにスライド可能に嵌合する嵌合部を設けたことを特徴とする請求項１記載の照明器具。
【請求項３】
前記嵌合部が、前記蛍光管の軸方向において前記ランプピンよりも外側に設けられていることを特徴とする請求項２に記載の照明器具。
【請求項４】
前記ランプピンに突起部を設け、前記スライド部に前記突起部をスライド可能に係止する係止部を設けたことを特徴とする請求項１〜３のいずれかに記載の照明器具。
【請求項５】
前記照明器具本体に前記スライド部のスライド方向に沿ってスライド溝を設け、
前記スライド部に前記スライド溝を貫通して前記照明器具本体の外側に突出するスライド操作部を設け、
前記スライド操作部を操作することにより、前記照明器具の外側から前記スライド部をスライドさせることを特徴とする請求項１記載の照明器具。
【請求項６】
前記スライド溝が前記ソケットの自重を移動可能に支持することを特徴とする請求項５記載の照明器具。
【発明の詳細な説明】
【技術分野】
【０００１】
本発明は、直管蛍光ランプを用いた照明器具に関するものである。
【背景技術】
【０００２】
従来より、直管の蛍光管の軸方向に対して直交する方向へ突出して設けられた一対のランプピンを有する蛍光ランプを用いた照明器具が提案されている（例えば特許文献１参照）。
【０００３】
図１４（Ａ）に示すように、蛍光ランプ１００は、棒状の蛍光管１０１の周面すなわち主発光面に口金部１０２が取り付けられている。口金部１０２は、主発光面に固着された口金部本体１０３と、口金部本体１０３上に主発光面に対して直交方向（下方）に立設された２本のランプピン１０４を備えている。
【０００４】
また、口金部本体１０３は、ランプピン１０４と略平行に延びる係止用突出部１０５を有している。図１４（Ｂ）に示すように、係止用突出部１０５は、下端に略円柱状の頭部１０６と、頭部１０６の上方に連接する首部１０７を有している。
【０００５】
従って、上述した蛍光ランプ１００をソケットに取り付けるには、先ず、蛍光ランプ１００の係止用突出部１０５の頭部１０６を、ソケットの弾性部材からなる保持部により保持するとともに、ランプピン１０４をソケットのスロットに挿入する。
また、蛍光ランプ１００を逆方向に引き抜くことにより、蛍光ランプ１００を取り外すことができる。
【先行技術文献】
【特許文献】
【０００６】
【特許文献１】特開２００８−１１７６８２号公報
【発明の概要】
【発明が解決しようとする課題】
【０００７】
しかしながら、前述したような照明器具においては、蛍光ランプ１００の着脱を、蛍光管１０１の軸方向と直交する方向、すなわちランプピン１０４の方向に行うため、蛍光管１０１が長尺の場合には、着脱の力により蛍光管１０１を破損するおそれがあるという問題があった。
また、弾性部材により蛍光ランプ１００を保持しているので、弾性部材が外力や経年により変形して、蛍光ランプ１００が落下するおそれがあるという問題があった。
【０００８】
本発明は、従来の問題を解決するためになされたもので、取付作業時における蛍光管の破損を防止することのできる照明器具を提供することを目的とする。
【課題を解決するための手段】
【０００９】
本発明の照明器具は、直管の蛍光管の両端部付近に設けられた口金部から軸方向に対して直交する方向へ突出して設けられた一対のランプピンを有する蛍光ランプと、前記ランプピンを保持して電力を供給する一対のソケットを有する照明器具本体と、を備えた照明器具であって、前記ソケットに、前記照明器具本体に対して前記蛍光管の軸方向へ移動可能なスライド部を設けるとともに、前記スライド部に前記ランプピンに接触して通電する導電部を設け、前記スライド部を前記軸方向へスライドさせることにより前記導電部と前記ランプピンと接続・離反する構成を有している。
【００１０】
この構成により、ソケットのスライド部を直管の蛍光管の軸方向へスライドさせて、スライド部の導電部を蛍光管の口金部に設けられているランプピンと接続、あるいは離脱させるので、蛍光管に軸方向に直交する方向の外力が作用しない。これにより、蛍光ランプの着脱時に蛍光管を破損するのを防止することができる。
また、口金部を蛍光管の軸方向両端よりも内側に配置する。このため、蛍光管の全体を露出させて、発光させることができる。
【００１１】
また、本発明の照明器具は、前記口金部および前記ソケットに互いにスライド可能に嵌合する嵌合部を設けた構成を有している。
【００１２】
この構成により、口金部はソケットに嵌合するので、蛍光ランプの落下を確実に防止することができる。
【００１３】
さらに、本発明の照明器具は、前記嵌合部が、前記蛍光管の軸方向において前記ランプピンよりも外側に設けられた構成を有している。
【００１４】
この構成により、口金部とソケットとの嵌合部が、蛍光管の軸方向のランプピンよりも外側にあるので、ランプピンとソケットの導電部が確実に接触した状態で、口金部とソケットとが嵌合する。これにより、蛍光ランプの落下を防止するとともに、導電部の接触不良も防止することができる。
【００１５】
さらに、本発明の照明器具は、前記ランプピンに突起部を設け、前記スライド部に前記突起部をスライド可能に係止する係止部を設けた構成を有している。
【００１６】
この構成により、ランプピンの突起部が、ソケットのスライド部に設けられた係止部にスライド可能に係止されるので、蛍光ランプの落下を防止することができる。
【００１７】
また、本発明の照明器具は、前記照明器具本体に前記スライド部のスライド方向に沿ってスライド溝を設け、前記スライド部に前記スライド溝を貫通して前記照明器具本体の外側に突出するスライド操作部を設け、前記スライド操作部を操作することにより、前記照明器具の外側から前記スライド部をスライドさせる構成を有している。
【００１８】
この構成により、照明器具本体の外側からスライド部をスライドさせて、スライド部の導電部とランプピンを接続・離反させるので、ソケットに対する蛍光ランプの着脱が容易になる。また、スライド操作部が器具本体の外側に出ているので、照明器具本体内に操作部を設けたり指を挿入する隙間を設ける必要がなく、照明器具の幅を小さくできる。
【００１９】
さらに、本発明の照明器具は、前記スライド溝が前記ソケットの自重を移動可能に支持する構成を有している。
【００２０】
この構成により、照明器具本体のスライド溝でソケットの自重を支持するので、ソケットを照明器具本体に支持する部材を別途設ける必要がなく、省材料および構造の単純化を図ることができる。
【発明の効果】
【００２１】
本発明は、ソケットのスライド部を直管の蛍光管の軸方向へスライドさせて、蛍光管の口金部に設けられているランプピンとスライド部に設けられている導電部とを接続、あるいは離脱させるので、着脱時に蛍光管に軸方向に直交する方向の外力が作用しない。これにより、蛍光ランプの着脱時に蛍光管を破損するのを防止するという効果を有する照明器具を提供することができるものである。
【図面の簡単な説明】
【００２２】
【図１】本発明の第１実施形態にかかる照明器具における蛍光ランプを取付ける前の状態を示す斜視図
【図２】蛍光ランプを取付けた状態を示す斜視図
【図３】（Ａ）は蛍光ランプを取付ける前の状態を示す側面図、（Ｂ）は蛍光ランプを取付けた状態を示す側面図
【図４】本発明の第２実施形態にかかる照明器具における蛍光ランプを取付ける前の状態を示す斜視図
【図５】図４中V方向から見た端面図
【図６】図４中VI−VI位置の断面図
【図７】本発明の第３実施形態にかかる照明器具における取付ける前の蛍光ランプを示す斜視図
【図８】本発明の第４実施形態にかかる照明器具における蛍光ランプを取付ける前の状態を示す斜視図
【図９】図８中IX方向から見た端面図
【図１０】図８中X−X位置の断面図
【図１１】（Ａ）は端部側から見た照明器具の分解斜視図、（Ｂ）は中央側から見た照明器具の分解斜視図
【図１２】（Ａ）は照明器具本体の端部の側面図、（Ｂ）はスライド部がランプピンから離反した状態を示す断面図、（Ｃ）はランプピンから離反した状態を示す断面図
【図１３】（Ａ）はスライダ部の平面図、（Ｂ）および（Ｃ）は端面図、（Ｄ）は底面図、（Ｅ）は側面図
【図１４】（Ａ）従来の照明器具の斜視図、（Ｂ）（Ａ）中Ｂ−Ｂ位置の断面図
【発明を実施するための形態】
【００２３】
（第１実施形態）
以下、本発明の第１実施形態の照明器具について、図面を用いて説明する。
図１および図２に示すように、第１実施形態にかかる照明器具１０は、直管の蛍光管２１の両端部付近に設けられた口金部２２から蛍光管２１の軸方向（以後、単に「軸方向」という場合は、蛍光管２１の軸方向をいう。）に対して直交する方向へ突出して設けられた一対のランプピン２３を有する蛍光ランプ２０と、ランプピン２３を保持して電力を供給する一対のソケット３１を有する照明器具本体３０（図３参照）を備えている。
【００２４】
ソケット３１は、照明器具本体３０に取付けられるベース部３２と、ベース部３２にスライド自在に支持されるスライド部３３を有している。
ベース部３２は、全体Ｃ字形状をしており、照明器具本体３０に取付けられる天板３２ａと、天板３２ａの幅方向両端部から下方へ折曲形成された支持部３２ｂと、支持部３２ｂの先端を幅方向内側へ折り曲げて形成されたガイド突起３２ｃを有する。
なお、蛍光ランプ２０の軸方向両端部に設けられているベース部３２，３２の取付間隔は、蛍光ランプ２０の両端の口金部２２に設けられているランプピン２３の軸方向間隔よりも狭い（図３（Ａ）参照）。
【００２５】
スライド部３３は全体直方体状をしており、側面３３ｄにはベース部３２のガイド突起３２ｃがスライド可能に嵌合するガイド溝３３ｅが軸方向に形成されている（図２参照）。
なお、スライド部３３が所定の範囲を超えてスライドして、ベース部３２から脱落しないように、ストッパ（図示省略）を設けるのが望ましい。
【００２６】
スライド部３３の下面３３ａから上方へ向けて一対の凹部３３ｂが形成されている。一対の凹部３３ｂ、３３ｂは、一対のランプピン２３、２３の間隔と等しい間隔で設けられており、凹部３３ｂの内面には全面にランプピン２３に導通する金属製の導電部３３ｃが設けられている。導電部３３ｃは、照明器具本体３０に設けられている点灯装置（図示省略）に接続されている。各凹部３３ｂはランプピン２３を収容可能となっており、導電部３３ｃはランプピン２３の外径よりも小さな間隔で設けられ、外側へ弾性変形可能となっている。
【００２７】
これにより、凹部３３ｂに挿入されたランプピン２３は、導電部３３ｃの間で挟持されて導通し、照明器具本体３０に設けられている点灯装置（図示省略）から電力が供給可能となる。
【００２８】
次に、蛍光ランプ２０の装着動作について説明する。
【００２９】
まず、図３（Ａ）に示すように、ソケット３１のスライド部３３を軸方向中心側（すなわち、ベース部３２側）へ移動させておく。
次いで、蛍光ランプ２０を照明器具本体３０側へ接近させる。一対のベース部３２，３２の軸方向間隔は、蛍光ランプ２０の両端の口金部２２に設けられているランプピン２３の軸方向間隔よりも狭いので、両スライド部３３、３３は、ランプピン２３、２３の軸方向内側に位置する。
【００３０】
次いで、図３（Ｂ）に示すように、蛍光ランプ２０を保持した状態で、ソケット３１のスライド部３３を軸方向外側（図３（Ｂ）中矢印Ｂ方向）へ移動させる。この際、ランプピン２３は、スライド部３３の凹部３３ｂに収容される。
これにより、図２に示すように、蛍光ランプ２０は照明器具本体３０のソケット３１に保持され、電力の供給が可能になる。
【００３１】
以上、説明した第１実施形態にかかる照明器具１０によれば、ソケット３１のスライド部３３を直管の蛍光管２１の軸方向へスライドさせて、蛍光管２１の口金部２２に設けられているランプピン２３と接続、あるいは離脱させるので、蛍光ランプ２１の着脱時に軸方向の外力が作用せず、蛍光管２１を破損するのを防止することができる。
また、口金部２２を蛍光管２１の両端よりも軸方向中心側に配置したので、蛍光管２１の全体を露出させて、発光させることができる。また、複数の蛍光管２１を隙間なく連続して取付けることができ、連続した光の線を得ることができる。
【００３２】
（第２実施形態）
次に、本発明に係る第２実施形態の照明器具を、図面を用いて説明する。なお、前述した第１実施形態の照明器具と共通する部位には同じ符号を付して、重複する説明を省略することとする。
【００３３】
図４および図５に示すように、第２実施形態にかかる照明器具１０Ｂでは、蛍光ランプ２０Ｂの口金部２２Ｂの側面２２ａの上端部に幅が狭い段差部２４を設け、段差部２４の高さ方向中央部に幅方向外側へ突出する嵌合凸部（嵌合部）２５を軸方向に設けた。
また、図４および図６に示すように、ソケット３１Ｂのスライド部３３Ｂの凹部３３ｂ内面には、口金部２２Ｂの嵌合凸部２５が嵌合する嵌合凹部（嵌合部）３４が軸方向に形成されている。
【００３４】
従って、蛍光ランプ２０Ｂをソケット３１Ｂに取付ける際には、前述した第１実施形態の場合と同様にソケット３１Ｂのスライド部３３Ｂを軸方向へスライドさせて、口金部２２Ｂに設けられているランプピン２３と接続、あるいは離脱させる。このとき、口金部２２Ｂの嵌合凸部２５を、ソケット３１Ｂのスライド部３３Ｂの嵌合凹部３４に嵌合させて、スライド部３３Ｂをスライドさせる。
【００３５】
以上、説明した第２実施形態にかかる照明器具１０Ｂによれば、口金部２２Ｂおよびソケット３１Ｂのスライド部３３Ｂに互いにスライド可能に嵌合する嵌合部としての嵌合凸部２５および嵌合凹部３４を設けたので、蛍光ランプ２０Ｂの落下を確実に防止することができる。
【００３６】
なお、上述した照明器具１０Ｂにおいては、口金部２２Ｂに嵌合凸部２５を設け、スライド部３３Ｂに嵌合凹部３４を設けて互いに嵌合可能としたが、逆に、口金部２２Ｂに嵌合凹部を設け、スライド部３３Ｂに嵌合凸部を設けて嵌合可能とすることもできる。
【００３７】
（第３実施形態）
次に、本発明に係る第３実施形態の照明器具を、図面を用いて説明する。なお、前述した第１実施形態および第２実施形態の照明器具と共通する部位には同じ符号を付して、重複する説明を省略することとする。
【００３８】
図７に示すように、第３実施形態にかかる照明器具１０Ｃでは、前述した第２実施形態にかかる照明器具１０Ｂにおいて、口金部２２Ｃとソケット３１Ｃとの嵌合部を、蛍光管２１の軸方向においてランプピン２３よりも外側に設けた。すなわち、口金部２２Ｃに設ける嵌合凸部２５を、ランプピン２３よりも、蛍光管２１の端部側に設けた。なお、ソケット３１Ｃの嵌合凹部３４は、嵌合凸部２５と嵌合する領域に設ければ足りるが、スライド部３３Ｃの全長にわたって設けても良い。
【００３９】
従って、蛍光ランプ２０Ｃをソケット３１Ｃに取付ける際には、スライド部３３Ｃをスライドさせて、まずランプピン２３をスライド部３３Ｃの凹部３３ｂに挿入して導電部３３ｃに接触させる。さらにスライド部３３Ｃをスライドさせ、口金部２２Ｃの嵌合凸部２５をスライド部３３Ｃの嵌合凹部３４に嵌合させる。
【００４０】
以上、説明した第３実施形態にかかる照明器具１０Ｃによれば、嵌合部である口金部２２Ｃの嵌合凸部２５が、ランプピン２３よりも蛍光管２１の軸方向の外側にあるので、ランプピン２３とソケット３１Ｃのスライド部３３Ｃの導電部３３ｃが確実に接触した状態で、口金部２２Ｃとスライド部３３Ｃとが嵌合する。これにより、蛍光ランプ２０Ｃの落下を防止するとともに、導電部３３ｃの接触不良も防止することができる。
【００４１】
（第４実施形態）
次に、本発明に係る第４実施形態の照明器具を、図面を用いて説明する。なお、前述した第１実施形態〜第３実施形態の照明器具と共通する部位には同じ符号を付して、重複する説明を省略することとする。
【００４２】
図８〜図１０に示すように、第４実施形態にかかる照明器具１０Ｄでは、蛍光ランプ２０Ｄの口金部２２Ｄに設けるランプピン２３Ｄに突起部２３ａを設け、ソケット３１Ｄに突起部２３ａをスライド可能に係止する係止部３５を設けた。すなわち、ランプピン２３Ｄは、口金部２２Ｄに植設された支柱部２３ｂと、支柱部２３ｂの先端に設けられランプピン２３Ｄの径方向へ突出した突起部２３ａとを有する。
【００４３】
また、ソケット３１Ｄのスライド部３３Ｄには、凹部３３ｂをＴ字形状とし、凹部３３ｂの上端に左右に広がる係止部３５を設けた。なお、ここでは導電部３３ｃを係止部３５の内面に設けたが、凹部３３ｂの内面全体に設けることもできる。
【００４４】
従って、蛍光ランプ２０Ｄをソケット３１Ｄに取付ける際には、前述した各実施形態の場合と同様にソケット３１Ｄのスライド部３３Ｄを軸方向へスライドさせて、口金部２２Ｄに設けられているランプピン２３Ｄをスライド部３３Ｄの凹部３３ｂに嵌合させる。このとき、ランプピン２３Ｄの突起部２３ａが、凹部３３ｂの係止部３５に挿嵌されて、上下方向に係止される。
【００４５】
以上、説明した第４実施形態にかかる照明器具１０Ｄによれば、ランプピン２３Ｄの突起部２３ａが、ソケット３１Ｄのスライド部３３に設けられた凹部３３ｂの係止部３５にスライド可能に係止されるので、蛍光ランプ２０Ｄの落下を確実に防止することができる。
【００４６】
なお、上述した照明器具１０Ｄにおける口金部２２Ｄおよびスライド部３３Ｄに嵌合部を設けることも可能である（第２実施形態参照）。このとき、ランプピン２３Ｄの蛍光管２１の軸方向外側に嵌合部を設けるようにすることも可能である（第３実施形態参照）。
【００４７】
（第５実施形態）
次に、本発明に係る第５実施形態の照明器具を、図面を用いて説明する。なお、前述した第１実施形態〜第４実施形態の照明器具と共通する部位には同じ符号を付して、重複する説明を省略することとする。
【００４８】
図１１および図１２に示すように、第５実施形態の照明器具１０Ｅでは、例えば下方が開口した断面コ字状の照明器具本体３０の側面３０ａ、３０ｂ端部に、スライド部３３のスライド方向（すなわち、蛍光ランプ２０の長手方向）に沿って、長円形状のスライド溝３６が切り欠かれている。
【００４９】
図１３に示すように、ソケット３１は、下面３３ａから上方へ向けて一対の凹部３３ｂが形成された全体直方体状のスライド部３３Ｅを有する。凹部３３ｂは、スライド部３３Ｅの下面から上面付近の高さで、軸方向一端面から中央に向かって軸方向に設けられており、中央側の端部に導電部３３ｃが取付けられる。スライド部３３Ｅの軸方向他端面には、導電部３３ｃに電力供給用の電線を接続するための一対の電線挿入穴３３ｈが設けられている。なお、スライド部３３Ｅの下面には、導電部３３ｃ取付用のソケットカバー３７が着脱可能に設けられている。
【００５０】
また、スライド部３３Ｅの左右両側面には、照明器具本体３０の幅方向に伸びる支持アーム３８が設けられており、支持アーム３８の先端には、スライド操作部４１が設けられている。
【００５１】
支持アーム３８は例えば円柱形状をしており、スライド部３３Ｅに一体的に設けることができる。左右の支持アーム３８の先端面の幅Ｂ（図１３（Ｂ）参照）は、照明器具本体３０の内側幅よりも小さ目となっており、スライド部３３Ｅを照明器具本体３０の内部に挿入可能となっている。支持アーム３８の外径は、スライド溝３６の幅よりも大きく設定されている。なお、支持アーム３８の先端面には、ネジ穴３８ａが設けられている。
【００５２】
スライド操作部４１は矩形平板状をしており、外側面には、例えばスライド方向に直交する多数の直線状の凹凸からなる滑り止め４４が設けられている。また、内側面には、後述するネジ４２の頭部４２ａが嵌合する嵌合凹部４３が設けられている（図１１参照）。嵌合凹部４３はネジ４２の頭部４２ａが嵌合して、容易に脱落しない大きさとなっている。すなわち、スライド操作部４１は、ソケット３１を照明器具本体３０のスライド溝３６に取付けるためのネジ４２の頭部４２ａに、嵌合凹部４３を嵌合させて取付けられる。
【００５３】
次に、ソケット３１の照明器具本体３０への取り付けおよび蛍光ランプ２０の脱着について説明する。
【００５４】
まず、ソケット３１を照明器具本体３０に取付けるには、図１１に示すように、スライド部３３に導電部３３ｃを取付けてソケットカバー３７を取付け、ソケット３１を照明器具本体３０の端部の所定位置に挿入する。そして、照明器具本体３０の外側からスライド溝３６にネジ４２を挿入して、支持アーム３８の先端のネジ穴３８ａに締結する。これにより、ソケット３１の自重は、ネジ４２を介して照明器具本体３０に支持される。すべてのネジ４２（ここでは、４本）を締結したら、スライド操作部４１の嵌合凹部４３にネジ４２の頭部４２ａを嵌合させて、スライド操作部４１を取付ける。
【００５５】
次に、蛍光ランプ３０を照明器具本体３０に取付けるには、図１２（Ｂ）に示すように、スライド操作部４１を離反側（軸方向中央側）へ移動させて、ソケット３１を中央側へ移動させておく。次いで、蛍光ランプ２０のランプピン２３がスライド部３３の凹部３３ｂの軸方向端部側に対向するように蛍光ランプ２０を位置決めした後、図１２（Ｃ）に示すように、スライド操作部４１を接続側（軸方向端部側）へ移動させる。これにより、相対的にランプピン２３は凹部３３ｂを進んで導電部３３ｃに達し、保持されるとともに通電する。
なお、蛍光ランプ３０を取り外すには、図１２（Ｂ）に示すように、スライド操作部４１を離反側へ移動させて、ランプピン２３をスライド部３３の凹部３３ｂから取り外す。
【００５６】
以上、説明した第５実施形態の照明器具１０Ｅによれば、照明器具本体３０の外側からスライド部３３Ｅをスライドさせて、スライド部３３Ｅの導電部３３ｃとランプピン２３を接続・離反させるので、ソケット３１に対する蛍光ランプ２０の着脱が容易になる。また、スライド部３３Ｅを移動させるためのスライド操作部４１が照明器具本体３０の外側に出ているので、照明器具本体３０内に操作部を設けたり指を挿入する隙間を設ける必要がなく、照明器具１０Ｅの幅を小さくできる。
【００５７】
また、照明器具本体３０のスライド溝３６でソケット３１の自重を支持するので、ソケット３１を照明器具本体３０に支持する部材を別途設ける必要がなく、省材料および構造の単純化を図ることができる。
【００５８】
なお、本発明の照明器具は、前述した各実施形態に限定されるものでなく、適宜な変形，改良等が可能である。
【符号の説明】
【００５９】
１０  照明器具
２０  蛍光ランプ
２１  蛍光管
２２  口金部
２３  ランプピン
２３ａ  突起部
２５  嵌合凸部（嵌合部）
３０  照明器具本体
３１  ソケット
３３  スライド部
３４  嵌合凹部（嵌合部）
３５  係止部
３６  スライド溝
４１  スライド操作部
【図１】
2010135302.tif 000003
【図２】
2010135302.tif 000004
【図３】
2010135302.tif 000005
【図４】
2010135302.tif 000006
【図５】
2010135302.tif 000007
【図６】
2010135302.tif 000008
【図７】
2010135302.tif 000009
【図８】
2010135302.tif 000010
【図９】
2010135302.tif 000011
【図１０】
2010135302.tif 000012
【図１１】
2010135302.tif 000013
【図１２】
2010135302.tif 000014
【図１３】
2010135302.tif 000015
【図１４】
2010135302.tif 000016